(57)【要約】【課題】タブレット型ＰＣやスマートフォンなどの通信端末装置にあって、近距離無線通信を容易に行い得るようにする。【解決手段】筐体２の背面側に近距離無線通信回路と接続された本体ループアンテナ７を備える通信端末装置１にあって、近距離無線通信回路とは電気的に接続されず、本体ループアンテナ７とループが略平行に重なるよう配置される結合用ループアンテナ１３と、該結合用ループアンテナ１３と電気的に接続され、該結合用ループアンテナ１３とは異なる位置に配置される拡張ループアンテナ１４とを配設する。【選択図】図２
2015065575.tif 000002
【特許請求の範囲】
【請求項１】
板状の筐体と、
該筐体の前面側に配設されたディスプレイと、
筐体内部に配設された近距離無線通信回路と、
該近距離無線通信回路と電気的に接続され、筐体の背面側に配置された本体ループアンテナと
を備える通信端末装置において、
前記近距離無線通信回路とは電気的に接続されず、本体ループアンテナと重なるよう配置された結合用ループアンテナと、
該結合用ループアンテナと電気的に接続され、該結合用ループアンテナとは異なる位置に配置された拡張ループアンテナと
を備えることを特徴とする通信端末装置。
【請求項２】
前記結合用ループアンテナと、前記拡張ループアンテナと、該２つのループアンテナを電気的に接続する接続パターンとを、フィルム基材上に形成してなるフィルムアンテナを備え、
該フィルムアンテナが、前記筐体に貼付されていることを特徴とする請求項１に記載の通信端末装置。
【請求項３】
前記フィルムアンテナは、前記筐体の外側に貼付されており、
前記フィルム基材は透明なフィルムであり、
前記結合用ループアンテナと前記拡張ループアンテナと前記接続パターンは、透明な導電材料からなることを特徴とする請求項２に記載の通信端末装置。
【請求項４】
前記フィルムアンテナの、拡張ループアンテナの形成部分が前記ディスプレイの表面に貼付されており、
前記フィルムアンテナの、前記ディスプレイに貼付される部分は透明であることを特徴とする請求項２又は請求項３に記載の通信端末装置。
【請求項５】
板状の筐体と、
該筐体の前面側に配設されたディスプレイと、
筐体内部に配設された近距離無線通信回路と、
該近距離無線通信回路と電気的に接続され、筐体の背面側に配置された本体ループアンテナと
を備える通信端末装置に貼付されるフィルムアンテナであって、
結合用ループアンテナと、拡張ループアンテナと、該２つのループアンテナを相互接続する接続パターンとを、導電材料によってフィルム基材上に形成してなるものであり、
通信端末装置の筐体の内側又は外側に貼付されて、前記結合用ループアンテナを、前記本体ループアンテナと重なるよう配置させるとともに、前記拡張ループアンテナを、前記結合用ループアンテナとは異なる位置に配置させることを特徴とするフィルムアンテナ。
【請求項６】
通信端末装置の筐体の外側に貼付されるものであって、
前記フィルム基材は透明なフィルムであり、
前記結合用ループアンテナと前記拡張ループアンテナと前記接続パターンとは、透明な導電材料からなることを特徴とする請求項５に記載のフィルムアンテナ。
【請求項７】
板状の筐体と、
該筐体の前面側に配設されたディスプレイと、
筐体内部に配設された近距離無線通信回路と、
該近距離無線通信回路と電気的に接続され、筐体の背面側に配置された本体ループアンテナと
を備える通信端末装置に装着される板状アンテナであって、
ベース板の上に、結合用ループアンテナと、拡張ループアンテナと、前記２つのループアンテナを電気的に相互接続する接続部とを配設してなるものであり、
ベース板は、前記筐体の背面側に脱着可能に構成されており、
ベース板を前記筐体の背面側に装着した状態で、結合用ループアンテナと本体ループアンテナが重なるとともに、ベース板の、拡張ループアンテナが配設された部分が、前記筐体の外側に突出するよう構成されていることを特徴とする板状アンテナ。
【発明の詳細な説明】
【技術分野】
【０００１】
本発明は、近距離無線通信機能を備えた通信端末装置に関する。
【背景技術】
【０００２】
近距離無線通信は、ループアンテナを介して電磁誘導方式で行われる無線通信である。近距離無線通信は、通信距離が数センチから数十センチ程度であり、ＩＣカードとリーダライタの通信などに用いられている。また、近年では、タブレット型ＰＣやスマートフォンなどの通信端末装置の多くに、近距離無線通信機能が設けられており、電子決済やＩＤ証明などに利用されている。ここで、タブレット型ＰＣやスマートフォンなどの通信端末装置では、近距離無線通信用のループアンテナは筐体の背面側に配設されており、通信端末装置の背面側をリーダライタにかざして通信し得るよう構成されている。
【先行技術文献】
【特許文献】
【０００３】
【特許文献１】特開２０１３−６２７９６号公報
【発明の概要】
【発明が解決しようとする課題】
【０００４】
上述のように、近距離無線通信は、ＩＣカードや通信端末装置をリーダライタにかざして行うのが一般的であるが、最近では、通信端末装置でＩＣカードの情報を読み書きする際や、通信端末装置間で情報をやりとりする際に使用されることが多くなっている。しかしながら、従来の通信端末装置では、近距離無線通信可能な範囲は、ループアンテナが配設された筐体の背面側に限定されている。このため、ＩＣカードの情報を通信端末装置で読み書きする場合には、ＩＣカードを通信端末装置の背面側に持ってこなければならず、また、二台の通信端末装置を相互通信させる場合は、お互いの通信端末装置の背面同士を対向させるように配置しなければならず、近距離無線通信を行う時の手間が大きいものとなっている。
【０００５】
本発明は、かかる現状に鑑みてなされたものであり、タブレット型ＰＣやスマートフォンなどの通信端末装置にあって、近距離無線通信を容易に行い得るための構成の提供を目的とする。
【課題を解決するための手段】
【０００６】
本発明は、板状の筐体と、該筐体の前面側に配設されたディスプレイと、筐体内部に配設された近距離無線通信回路と、該近距離無線通信回路と電気的に接続され、筐体の背面側に配置された本体ループアンテナとを備える通信端末装置において、前記近距離無線通信回路とは電気的に接続されず、本体ループアンテナと重なるよう配置された結合用ループアンテナと、該結合用ループアンテナと電気的に接続され、該結合用ループアンテナとは異なる位置に配置された拡張ループアンテナとを備えることを特徴とする通信端末装置である。
【０００７】
かかる構成にあっては、本体ループアンテナと結合用ループアンテナが重なり合うことで、両ループアンテナが電磁結合される。このため、近距離無線通信回路が、信号送信のために本体ループアンテナに電流を流して磁界を発生させると、結合用ループアンテナに誘導起電力が生じ、かかる誘導起電力によって拡張ループアンテナに電流が流れることで、拡張ループアンテナが本体ループアンテナ同様の磁界を発生させ、拡張ループアンテナからも本体ループアンテナ同様の信号が送信される。また、他の近距離無線通信用デバイスが、信号送信のために拡張ループアンテナの周囲に磁界を発生させると、拡張ループアンテナに誘導起電力が生じ、かかる誘導起電力によって結合用ループアンテナに電流が流れることで、本体ループアンテナの周囲に、拡張ループアンテナ同様の磁界が発生する。そして、かかる磁界により本体ループアンテナに誘導起電力が生じることで、前記他の近距離無線通信用デバイスが送信した信号が、拡張ループアンテナを介して近距離無線通信回路で受信される。
【０００８】
このように、本発明の通信端末装置によれば、本体ループアンテナだけでなく、拡張ループアンテナを介して近距離無線通信が可能となるため、本体ループアンテナの通信可能範囲ではカバーされない範囲で近距離無線通信を行うことが可能となり、近距離無線通信の利便性が向上する。特に、結合用ループアンテナや拡張ループアンテナは、近距離無線通信回路と電気的に接続する必要がないため、増設や取り外しが比較的容易であるという利点がある。
【０００９】
本発明にあって、前記結合用ループアンテナと、前記拡張ループアンテナと、該２つのループアンテナを電気的に接続する接続パターンとを、フィルム基材上に形成してなるフィルムアンテナを備え、該フィルムアンテナが、前記筐体に貼付されていることが提案される。
【００１０】
かかる構成にあっては、結合用ループアンテナと拡張ループアンテナとを通信端末装置に極めて簡単に配設可能となる。
【００１１】
本発明の別の態様は、板状の筐体と、該筐体の前面側に配設されたディスプレイと、筐体内部に配設された近距離無線通信回路と、該近距離無線通信回路と電気的に接続され、筐体の背面側に配置された本体ループアンテナとを備える通信端末装置に貼付されるフィルムアンテナであって、結合用ループアンテナと、拡張ループアンテナと、該２つのループアンテナを相互接続する接続パターンとを、導電材料によってフィルム基材上に形成してなるものであり、通信端末装置の筐体の内側又は外側に貼付されて、前記結合用ループアンテナを、前記本体ループアンテナと重なるよう配置させるとともに、前記拡張ループアンテナを、前記結合用ループアンテナとは異なる位置に配置させることを特徴とするフィルムアンテナである。
【００１２】
かかるフィルムアンテナは、既存の通信端末装置に貼り付けることで、通信端末装置が近距離無線通信可能な範囲を拡張し、近距離無線通信の利便性を向上させることができる。
【００１３】
また、本発明にあって、前記フィルムアンテナは、前記筐体の外側に貼付されており、前記フィルム基材は透明なフィルムであり、前記結合用ループアンテナと前記拡張ループアンテナと前記接続パターンは、透明な導電材料からなることが提案される。
【００１４】
かかる構成にあっては、フィルムアンテナが筐体の外側に貼付されても、通信端末装置の意匠性を損なうことがない。また、ディスプレイやカメラのレンズの上にフィルムアンテナが貼付されても、ディスプレイやカメラの機能が損なわれることがない。
【００１５】
また、本発明にあって、前記フィルムアンテナの、拡張ループアンテナの形成部分が前記ディスプレイの表面に貼付されており、前記フィルムアンテナの、前記ディスプレイに貼付される部分は透明であることが提案される。
【００１６】
かかる構成にあっては、拡張ループアンテナの配設部分に、ディスプレイを用いて「ここにカードをかざして下さい」、「読取エラーです」などといった、近距離無線通信に係るガイダンスやメッセージを表示することができるため、近距離無線通信の利便性を一層向上させることが可能となる。
【００１７】
また、本発明の別の態様は、板状の筐体と、該筐体の前面側に配設されたディスプレイと、筐体内部に配設された近距離無線通信回路と、該近距離無線通信回路と電気的に接続され、筐体の背面側に配置された本体ループアンテナとを備える通信端末装置に装着される板状アンテナであって、ベース板の上に、結合用ループアンテナと、拡張ループアンテナと、前記２つのループアンテナを電気的に相互接続する接続部とを配設してなるものであり、ベース板は、前記筐体の背面側に脱着可能に構成されており、ベース板を前記筐体の背面側に装着した状態で、結合用ループアンテナと本体ループアンテナが重なるとともに、ベース板の、拡張ループアンテナが配設された部分が、前記筐体の外側に突出するよう構成されていることを特徴とする板状アンテナである。
【００１８】
かかる構成にあっては、拡張ループアンテナは、通信端末装置の筐体の表面でなく、ベース板に配設されるため、筐体のサイズに限定されることなく、拡張ループアンテナを大きくして通信機能を高めることが可能となる。また、かかる板状アンテナは、不要な時には取り外しておくことができるから、筐体の外側に突出させても邪魔になりにくい。
【発明の効果】
【００１９】
以上に述べたように、本発明によれば、通信端末装置は、ＩＣカード等の情報を筐体の背面側以外の場所で読み書きすることが可能となり、また、二台の通信端末装置で相互通信する場合でも、筐体の背面側を対向させずに通信可能となる。したがって、本発明によれば、通信端末装置の近距離無線通信の利便性を向上させることが可能となる。
【図面の簡単な説明】
【００２０】
【図１】実施例１の通信端末装置１の前面側の斜視図である。
【図２】実施例１の通信端末装置１の背面側の斜視図である。
【図３】実施例１の通信端末装置１の分解斜視図である。
【図４】フィルムアンテナ１１を分離して示す  実施例１の通信端末装置１の斜視図である。
【図５】実施例１の通信端末装置１の使用方法を示す説明図である。
【図６】実施例２の通信端末装置１ａの前面側の斜視図である。
【図７】実施例２の通信端末装置１ａの正面図である。
【図８】板状アンテナ２０を分離して示す、実施例３の通信端末装置１ｂの背面側の斜視図である。
【図９】実施例３の通信端末装置１ｂの正面図である。
【発明を実施するための形態】
【００２１】
本発明の実施形態を、以下の実施例に従って説明する。
【実施例１】
【００２２】
本実施例は、本発明をタブレット型ＰＣに適用したものである。本実施例の通信端末装置（タブレット型ＰＣ）１は、図１に示すように、板状の筐体２を備えている。筐体２の前面側の大部分には、液晶表示器からなる矩形のディスプレイ３が配設される。このディスプレイ３はタッチパネルを兼ねるものである。また、筐体２の前面側には、ディスプレイ３の上方に、前面カメラ４が配設され、ディスプレイ３の下方に、タッチ式の操作部５が配設される。筐体２の背面側には、図２に示すように、右上部に背面カメラ６が配設される。なお、かかる通信端末装置１は、後述する構成を除き、既存のタブレット型ＰＣと同じ構成であるため、詳細な説明は省略する。
【００２３】
通信端末装置１の筐体２は、図３に示すように、前面側を構成する樹脂製の前面カバー２ａと、背面側を構成する樹脂製の背面カバー２ｂとからなる。背面カバー２ｂの内側には、近距離無線通信に用いる本体ループアンテナ７が配設される。本体ループアンテナ７は、導電材料からなる矩形のアンテナ本体７ａを絶縁フィルム７ｂで被覆してなるフィルムアンテナであり、背面カバー２ｂの内側に貼付されて、アンテナ本体７ａの端子部分７ｃのみを絶縁フィルム７ｂから露出させている。筐体２の内部には、回路基板８やバッテリー９が配設されており、本体ループアンテナ７は、端子部分７ｃを介して、回路基板８に設けられた近距離無線通信回路と電気的に接続される。すなわち、かかる構成にあっては、近距離無線通信回路は、本体ループアンテナ７を介して電磁誘導方式で他の近距離無線通信用デバイスと近距離無線通信を行うよう構成されている。
【００２４】
図１〜３に示すように、筐体２の背面カバー２ｂの外側には、背面側と上面側とに跨がるようにフィルムアンテナ１１が貼付される。フィルムアンテナ１１は、図４に示すように、フィルム基材１２の上に、結合用ループアンテナ１３と、拡張ループアンテナ１４と、２つのループアンテナ１３，１４を電気的に接続する接続パターン１５とを形成してなるものである。なお、フィルムアンテナ１１は、図中では実線で表しているが、フィルム基材１２は透明な絶縁性樹脂フィルムによって構成されるものであり、また、２つのループアンテナ１３，１４と接続パターン１５は透明な導電材料で形成されており、フィルムアンテナ１１は全体が透明となっている。
【００２５】
結合用ループアンテナ１３は、本体ループアンテナ７よりも一回り大きい矩形状をなしており、図２に示すように、背面カバー２ｂを挟んで、本体ループアンテナ７とのループ全体と平行に重なるように、背面カバー２ｂの背面に配置されている。一方、拡張ループアンテナ１４は、図１，２に示すように、幅広で前後に短尺な矩形状をなしており、背面カバー２ｂの上面に配置される。また、接続パターン１５は、結合用ループアンテナ１３の端部と、拡張ループアンテナ１４の端部とを電気的に相互接続することにより、結合用ループアンテナ１３と拡張ループアンテナ１４とからなる１つの閉回路を形成している。なお、結合用ループアンテナ１３と拡張ループアンテナ１４は、導電材料をフィルム基材１２に沿って三重または四重に巻回してなるものである。ただし、これらのループアンテナ１３，１４の巻数や形状は適宜変更可能である。
【００２６】
かかる構成にあっては、本体ループアンテナ７と重なるよう配置された結合用ループアンテナ１３が、背面カバー２ｂを挟んで本体ループアンテナ７と電磁結合することとなる。このため、近距離無線通信回路が、信号送信のために本体ループアンテナ７に電流を流して磁界を発生させると、結合用ループアンテナ１３に誘導起電力が発生し、かかる誘導起電力によって拡張ループアンテナ１４に電流が流れることで、拡張ループアンテナ１４が本体ループアンテナ７同様の磁界を発生させて、拡張ループアンテナ１４からも本体ループアンテナ７同様の信号が送信されることとなる。
【００２７】
一方で、他の近距離無線通信用デバイスが信号送信のために拡張ループアンテナ１４の周囲に磁界を発生させると、拡張ループアンテナ１４に誘導起電力が生じる。そして、かかる誘導起電力によって結合用ループアンテナ１３に電流が流れると、結合用ループアンテナ１３が、拡張ループアンテナ１４の周囲と同様の磁界を、本体ループアンテナ７の周囲に発生させる。そして、かかる磁界によって、本体ループアンテナ７に誘電起電力が生じることによって、前記他の近距離無線通信用デバイスが送信した信号が近距離無線通信回路で受信される。
【００２８】
このように、本実施例の通信端末装置１は、背面側の本体ループアンテナ７だけでなく、上面側に設けられた拡張ループアンテナ１４を介しても近距離無線通信を行うことが可能となる。このため、本実施例の通信端末装置１は、背面側をかざしてリーダライタ等と近距離無線通信するだけでなく、図５に示すように、２台の通信端末装置１の上面を付き合わせた状態で、近距離無線通信を行うことが可能となる。また、通信端末装置１の相互通信だけでなく、ＩＣカード等も通信端末装置１の上側で読み書き可能となるから、近距離無線通信の利便性が向上する。
【００２９】
また、本実施例では、フィルムアンテナ１１全体が透明であるから、筐体２の外側に貼付されていても、筐体２のデザインが損なわれないという利点がある。また、図２に示すように、フィルムアンテナ１１が背面カメラ６を覆うように貼付されていても背面カメラ６の機能が損なわれることがない。
【００３０】
また、本実施例では、結合用ループアンテナ１３と、拡張ループアンテナ１４と、接続パターン１５とをフィルム基材１２上に形成して、フィルムアンテナ１１として一体化しているから、結合用ループアンテナ１３と拡張ループアンテナ１４を通信端末装置１に簡単に配設できるという利点がある。なお、本実施例のフィルムアンテナ１１は、既存の通信端末装置に取り付けて、近距離無線通信の通信可能範囲を拡張するための拡張部品として用いることもできる。
【実施例２】
【００３１】
本実施例は、実施例１からフィルムアンテナの構成を変更し、拡張ループアンテナを、筐体の前面側に配置したものである。なお、以下の説明では、実施例１と異なる部分のみを説明し、実施例１と共通する構成については、本文中及び図中で共通符号を付して説明を省略する。
【００３２】
図６に示すように、本実施例の通信端末装置１ａでは、フィルムアンテナ１１ａが、筐体２の上部で折り返されるようにして、筐体２の前面と背面とに貼付される。このフィルムアンテナ１１ａは、実施例１のフィルムアンテナ１１の縦横寸法を変更したものであり、縦横寸法以外の構成は実施例１と同じである。そして、本実施例では、拡張ループアンテナ１４が、筐体２の前面側で、ディスプレイ３の上部を覆うように配置される。なお、結合用ループアンテナ１３は、実施例１と同様に、筐体２の背面側で、本体ループアンテナ（図示省略）とループが平行に重なるように配置される。
【００３３】
かかる構成にあっては、実施例１と同様に、結合用ループアンテナ１３が本体ループアンテナと電磁結合することによって、拡張ループアンテナ１４を介して近距離無線通信を行うことが可能となる。すなわち、本実施例の通信端末装置１ａでは、筐体２の前面のディスプレイ３にＩＣカードを載せて、当該ＩＣカードの情報を読み書きすることが可能となるため、従来構成に比べて、ＩＣカードの情報の読み書きを容易に行うことができる。また、本実施例では、図７に示すように、ディスプレイ３の、拡張ループアンテナ１４が配置された部分に、近距離無線通信可能な位置を示すメッセージ画像１７などを表示できるから、かかる点においても、近距離無線通信の利便性を向上させることができる。なお、本実施例では、フィルムアンテナ１１ａ全体が透明であるため、ディスプレイ３にフィルムアンテナ１１ａを貼付しても、ディスプレイ３の視認性は損なわれない。また、ディスプレイ３のタッチセンサが静電容量方式である場合であっても、拡張ループアンテナ１４程度であればタッチセンサの感度はほとんど低下しない。
【実施例３】
【００３４】
本実施例は、実施例１の構成を変更したものである。なお、以下の説明では、実施例１と異なる部分のみを説明し、実施例１と共通する構成については、本文中及び図中で共通符号を付して説明を省略する。
【００３５】
図８に示すように、本実施例の通信端末装置１ｂでは、フィルムアンテナ１１ｂをベース板１９に貼付してなる板状アンテナ２０が、筐体２の背面側に配設される。ベース板１９は、矩形の樹脂製板片であり、その背面側にフィルムアンテナ１１ｂが貼付される。フィルムアンテナ１１ｂは、実施例１のフィルムアンテナ１１の縦横寸法を変更したものであり、縦横寸法以外の構成は実施例１と同じである。
【００３６】
図８に示すように、本実施例では、筐体２の背面には、フィルムアンテナが貼付されず、面ファスナー２１が貼付される。面ファスナー２１は、板状アンテナ２０の前面にも貼付されており、筐体２と板状アンテナ２０の面ファスナー２１，２１を接合させることにより、板状アンテナ２０は、筐体２の背面に脱着可能に装着される。図８に示すように、板状アンテナ２０を筐体２に装着した状態では、結合用ループアンテナ１３と本体ループアンテナ７のループが平行に重なることにより、両ループアンテナ７，１３が電磁結合する。一方、図８，９に示すように、板状アンテナ２０の、拡張ループアンテナ１４が配置された部分は、筐体２の上方に突出する突出部２２を構成する。すなわち、かかる構成にあっては、筐体２の上方に突出する突出部２２にＩＣカードを重ねることで、ＩＣカードの情報を読み書きすることができ、また、２台の通信端末装置１ｂの突出部２２を重ね合わせることで相互通信が可能となる。
【００３７】
このように、本実施例にあっては、拡張ループアンテナ１４が筐体の表面以外に配置されるため、筐体２のサイズに制限されることなく、拡張ループアンテナ１４を大きくして通信機能を高めることが可能となる。また、本実施例では、板状アンテナ２０が面ファスナー２１によって筐体２から脱着可能となっているため、不使用時には、突出部２２が邪魔とならないよう、筐体２から取り外しておくことができる。なお、本実施例の板状アンテナ１０は、筐体２の背面側に面ファスナー２１を貼付するだけで簡単に配設できるから、既存の通信端末装置に取り付けて、近距離無線通信の通信可能範囲を拡張するための拡張部品としても用いることができる。
【００３８】
なお、本発明は、上記実施例の形態に限らず本発明の要旨を逸脱しない範囲内において種々変更を加えることができる。例えば、本発明は、上記実施例の形態のタブレット型ＰＣに限らず、近距離無線通信用のアンテナが背面側に配設された通信端末装置全般に適用できる。そして、結合用ループアンテナと拡張ループアンテナの配置は、本発明を適用する通信端末装置の筐体形状や本体ループアンテナの位置に応じて適宜変更できる。また、上記実施例では、結合用ループアンテナと拡張ループアンテナが、筐体の外側に配設されているが、これらは筐体の内側に配設することもできる。
【００３９】
また、上記実施例では、筐体の上面や前面に拡張ループアンテナが配置されているが、本発明に係る拡張ループアンテナは、筐体の側面や底面に配置することもできるし、筐体背面側の本体ループアンテナと重ならない位置に配置するようにしても良い。
【００４０】
また、上記実施例では、フィルムアンテナは透明であるが、本発明に係るフィルムアンテナは、ディスプレイやカメラを覆わないのであれば不透明であってもよい。フィルムアンテナを不透明にする場合は、筐体のデザインを損なわないよう、フィルム基材を筐体のデザインに合わせた色・模様とすることが望ましい。
【００４１】
また、上記実施例３では、板状アンテナが平板状であるが、本発明に係る板状アンテナは、湾曲板状や屈曲板状であってもよい。板状アンテナを湾曲板状や屈曲板状にすれば、拡張ループアンテナを本体ループアンテナとは異なる向きに配置可能となる。
【符号の説明】
【００４２】
１，１ａ，１ｂ  通信端末装置
２  筐体
２ａ  前面カバー
２ｂ  背面カバー
３  ディスプレイ
４  前面カメラ
５  操作部
６  背面カメラ
７  本体ループアンテナ
７ａ  アンテナ本体
７ｂ  絶縁フィルム
７ｃ  端子部分
８  回路基板
９  バッテリー
１１，１１ａ，１１ｂ  フィルムアンテナ
１２  フィルム基材
１３  結合用ループアンテナ
１４  拡張ループアンテナ
１５  接続パターン
１７  メッセージ画像
１９  ベース板
２０  板状アンテナ
２１  面ファスナー
２２  突出部
【図１】
2015065575.tif 000003
【図２】
2015065575.tif 000004
【図３】
2015065575.tif 000005
【図４】
2015065575.tif 000006
【図５】
2015065575.tif 000007
【図６】
2015065575.tif 000008
【図７】
2015065575.tif 000009
【図８】
2015065575.tif 000010
【図９】
2015065575.tif 000011